(57)【要約】【課題】キートップの配置領域の小型化及び部品点数の削減が可能な電子機器を提供する。【解決手段】携帯電話機は、対向面部を有する第２筐体と、第２筐体内において、対向面部に対向配置されるＦＰＣ４５と、ＦＰＣ４５の対向面部側の面に設けられた複数のスイッチと、複数のスイッチに被せられたキーシート５１と、キーシート５１の対向面部側の面に設けられ、対向面部に形成された一の開口から共に露出する複数のダイヤルキーとを有し、対向面部のキーシート５１に対向する面には、開口の外周部に、第１孔部６１が形成され、キーシート５１の対向面部に対向する面には、第１孔部６１に挿入される第１突部６２が形成されている。【選択図】図１０
2008243742.tif 000002
【特許請求の範囲】
【請求項１】
所定面部を有する筐体と、
前記筐体内において、前記所定面部に対向配置される回路基板と、
前記回路基板の前記所定面部側の面に設けられた複数のスイッチと、
前記複数のスイッチに被せられたキーシートと、
前記キーシートの前記所定面部側の面に設けられ、前記所定面部に形成された一の開口から共に露出する複数のキートップと、
を有し、
前記所定面部の前記キーシートに対向する面には、前記開口の外周部に、筐体側穴部が形成され、
前記キーシートの前記所定面部に対向する面には、前記筐体側穴部に挿入される筐体側突部が形成されている
電子機器。
【請求項２】
前記筐体は、
前記所定面部を構成する第１筐体部材と、
前記所定面部を構成し、前記第１筐体部材に埋設された第２筐体部材と
を有し、
前記第１筐体部材には、前記開口を構成する、第１キー用開口が形成され、
前記第２筐体部材には、前記開口を構成する、第２キー用開口が形成され、
前記第２筐体部材は、前記第１キー用開口において前記第１筐体部材から露出し、
前記筐体側穴部は、前記第２筐体部材の、前記第１キー用開口において前記第１筐体部材から露出する部分に形成された筐体側孔部により構成されている
請求項１に記載の電子機器。
【請求項３】
前記第２筐体部材の、前記第１キー用開口において前記第１筐体部材から露出する部分の筐体外部側に固定され、前記筐体側孔部及び前記筐体側突部を被覆する被覆部材を有する
請求項２に記載の電子機器。
【請求項４】
前記筐体側孔部及び前記筐体側突部は、前記複数のキートップにより被覆されている
請求項２に記載の電子機器。
【請求項５】
前記筐体側突部は、先端側に、前記第２筐体部材の筐体外部側の面に係合する筐体側係合部を有する
請求項２〜４のいずれか１項に記載の電子機器。
【請求項６】
前記キーシートに設けられた他のキートップを有し、
前記第２筐体部材には、前記第１キー用開口と重なり、前記第２キー用開口とは異なる位置に、第３キー用開口が形成され、
前記他のキートップは、前記第１キー用開口及び前記第３キー用開口から筐体外部へ露出し、
前記第２筐体部材の、前記第２キー用開口と前記第３キー用開口との間の部分は、前記キーシートを係止する
請求項２〜５のいずれか１項に記載の電子機器。
【請求項７】
前記第１筐体部材は、第１の材料により構成され、
前記第２筐体部材は、前記第１の材料よりも弾性係数が高い第２の材料により構成されている
請求項２〜６のいずれか１項に記載の電子機器。
【請求項８】
前記第１筐体部材は、絶縁性を有し、
前記第２筐体部材は、導電性を有し、
前記第２筐体部材は、前記回路基板のグランドに接続されている
請求項２〜７のいずれか１項に記載の電子機器。
【請求項９】
前記回路基板には、前記キーシート側の面に基板側穴部が形成され、
前記キーシートには、前記回路基板側の面に前記基板側穴部に挿入される基板側突部が形成されている
請求項１〜８のいずれか１項に記載の電子機器。
【請求項１０】
前記キーシートは、前記複数のキートップが固定される部分の間の位置において、前記回路基板側に突出し、前記回路基板に当接するリブを有し、
前記基板側突部は、前記リブに設けられている
請求項９に記載の電子機器。
【請求項１１】
前記基板側穴部は、前記回路基板に形成された基板側孔部により形成され、
前記基板側突部は、先端側に、前記回路基板の、前記キーシートとは反対側の面に係合する基板側係合部を有する
請求項１０に記載の電子機器。
【請求項１２】
前記回路基板の前記キーシートとは反対側に積層されたシールドケースを有し、
前記基板側係合部は、前記回路基板と前記シールドケースとに挟持されている
請求項１１に記載の電子機器。
【請求項１３】
前記シールドケースには、前記基板側係合部が収納される凹部が形成されている
請求項１１又は１２に記載の電子機器。
【発明の詳細な説明】
【技術分野】
【０００１】
本発明は、携帯電話機、デジタルカメラ、ＰＤＡ、ゲーム機等の電子機器に関する。
【背景技術】
【０００２】
筐体の所定面に、複数のキートップが配列されている携帯電話機等の電子機器が知られている。このような電子機器では、複数のキートップを露出させるために、複数のキートップと同数の開口が所定面に形成されている。複数のキートップは、所定面の複数の開口間のフレーム部分に係止されることにより、筐体外部への脱落が防止されている。
【０００３】
しかし、上述のような電子機器では、複数のキートップ間に筐体のフレーム部分が存在することになるから、複数のキートップの配置領域が広くなり、筐体の小型化が難しい。
【０００４】
そこで、特許文献１では、筐体内において、複数のスイッチが設けられた回路基板と、複数のスイッチに被せられる、弾性を有するキーシートと、キーシートに積層される、複数の孔部が形成されたフレームとを設け、フレームの孔部を介してキートップとキーシートとを固着している。キートップは、弾性を有するキーシートを介してスイッチを押圧可能であり、また、キーシートがフレームに係止されていることにより、キーシートに固着されているキートップの脱落が防止される。そして、筐体の一の開口から複数のキートップが露出することにより、複数のキートップを隣接して配置して、複数のキートップの配置領域を縮小している。
【特許文献１】特開２００５−１２３７４２号公報
【発明の開示】
【発明が解決しようとする課題】
【０００５】
特許文献１の技術では、キーシートを係止するために、フレームを用いることから、部品点数が増加する。しかし、フレームを省略すれば、弾性を有するキーシートは、筐体から抜け落ちてしまう。
【０００６】
本発明の目的は、キートップの配置領域の小型化及び部品点数の削減が可能な電子機器を提供することにある。
【課題を解決するための手段】
【０００７】
本発明の電子機器は、所定面部を有する筐体と、前記筐体内において、前記所定面部に対向配置される回路基板と、前記回路基板の前記所定面部側の面に設けられた複数のスイッチと、前記複数のスイッチに被せられたキーシートと、前記キーシートの前記所定面部側の面に設けられ、前記所定面部に形成された一の開口から共に露出する複数のキートップと、を有し、前記所定面部の前記キーシートに対向する面には、前記開口の外周部に、筐体側穴部が形成され、前記キーシートの前記所定面部に対向する面には、前記筐体側穴部に挿入される筐体側突部が形成されている。
【０００８】
好適には、前記筐体は、前記所定面部を構成する第１筐体部材と、前記所定面部を構成し、前記第１筐体部材に埋設された第２筐体部材とを有し、前記第１筐体部材には、前記開口を構成する、第１キー用開口が形成され、前記第２筐体部材には、前記開口を構成する、第２キー用開口が形成され、前記第２筐体部材は、前記第１キー用開口において前記第１筐体部材から露出し、前記筐体側穴部は、前記第２筐体部材の、前記第１キー用開口において前記第１筐体部材から露出する部分に形成された筐体側孔部により構成されている。
【０００９】
好適には、前記第２筐体部材の、前記第１キー用開口において前記第１筐体部材から露出する部分の筐体外部側に固定され、前記筐体側孔部及び前記筐体側突部を被覆する被覆部材を有する。
【００１０】
好適には、前記筐体側孔部及び前記筐体側突部は、前記複数のキートップにより被覆されている。
【００１１】
好適には、前記筐体側突部は、先端側に、前記第２筐体部材の筐体外部側の面に係合する筐体側係合部を有する。
【００１２】
好適には、前記キーシートに設けられた他のキートップを有し、前記第２筐体部材には、前記第１キー用開口と重なり、前記第２キー用開口とは異なる位置に、第３キー用開口が形成され、前記他のキートップは、前記第１キー用開口及び前記第３キー用開口から筐体外部へ露出し、前記第２筐体部材の、前記第２キー用開口と前記第３キー用開口との間の部分は、前記キーシートを係止する。
【００１３】
好適には、前記第１筐体部材は、第１の材料により構成され、前記第２筐体部材は、前記第１の材料よりも弾性係数が高い第２の材料により構成されている。
【００１４】
好適には、前記第１筐体部材は、絶縁性を有し、前記第２筐体部材は、導電性を有し、前記第２筐体部材は、前記回路基板のグランドに接続されている。
【００１５】
好適には、前記回路基板には、前記キーシート側の面に基板側穴部が形成され、前記キーシートには、前記回路基板側の面に前記基板側穴部に挿入される基板側突部が形成されている。
【００１６】
好適には、前記キーシートは、前記複数のキートップが固定される部分の間の位置において、前記回路基板側に突出し、前記回路基板に当接するリブを有し、前記基板側突部は、前記リブに設けられている。
【００１７】
好適には、前記基板側穴部は、前記回路基板に形成された基板側孔部により形成され、前記基板側突部は、先端側に、前記回路基板の、前記キーシートとは反対側の面に係合する基板側係合部を有する。
【００１８】
好適には、前記回路基板の前記キーシートとは反対側に積層されたシールドケースを有し、前記基板側係合部は、前記回路基板と前記シールドケースとに挟持されている。
【００１９】
好適には、前記シールドケースには、前記基板側係合部が収納される凹部が形成されている。
【００２０】
なお、本願では、穴部は、孔部及び凹部を含むものとする。孔部は、抜け穴状のもの（貫通しているもの）であり、凹部は、底部を有するもの（貫通していないもの）である。
【発明の効果】
【００２１】
本発明よれば、電子機器の小型化及び部品点数の削減が実現される。
【発明を実施するための最良の形態】
【００２２】
図１は、本発明の実施形態に係る電子機器としての携帯電話機１の外観を示す斜視図である。
【００２３】
携帯電話機１は、いわゆる折り畳み式の携帯電話機として構成されており、開閉可能に連結された第１筐体３及び第２筐体５を備えている。第１筐体３及び第２筐体５は、連結部７により連結されている。第１筐体３及び第２筐体５は、回転軸ＲＡ回りに回転可能である。なお、図１は、開状態を示している。
【００２４】
第１筐体３及び第２筐体５は、携帯電話機１全体の筐体を構成している。第１筐体３及び第２筐体５は、例えば、それぞれ概ね薄型直方体状に形成されており、閉状態では互いに重ねあわされて互いの輪郭が略一致する。
【００２５】
第１筐体３には、例えば、通話用のスピーカ９７（図１１参照）の放音口９、図形や文字情報等を含む画像を表示する表示部１１が設けられている。放音口９は、第１筐体３の、連結部７とは反対側の端部において、閉状態において第２筐体５と対向する対向面部３ａにおいて開口している。表示部１１は、例えば、液晶ディスプレイや有機ＥＬディスプレイにより構成され、対向面部３ａにおいて画像を表示する。なお、対向面部３ａは、回転軸ＲＡと平行である。
【００２６】
第２筐体５には、例えば、通話用のマイクロフォン３９（図２参照）の収音口１３、ユーザの操作を受け付ける操作部１５が設けられている。収音口１３は、第２筐体５の、連結部７側の端部において、第１筐体３と対向する対向面部５ａにおいて開口している。操作部１５は、対向面部５ａにおいて筐体外部へ露出する、複数のダイヤルキー１７Ａ、カーソルキー１７Ｂ、決定キー１７Ｃ、複数のファンクションキー１７Ｄ（以下、これらを区別せずに、単に「キートップ１７」ということがある。）を含んで構成されている。なお、対向面部５ａは、回転軸ＲＡと平行である。
【００２７】
連結部７は、例えば、第１筐体３の長手方向の一方の端部である第１端部３ｄと、第２筐体５の長手方向の一方の端部である第２端部５ｄとを含んで構成されている。具体的には、以下のとおりである。第１筐体３の第１端部３ｄには、連結凹部３ｅが形成されている。第２筐体５の第２端部５ｄには、連結突部５ｅが形成されている。連結突部５ｅは、連結凹部３ｅに挿入されている。そして、連結突部５ｅの回転軸ＲＡ方向両側においては、連結突部５ｅ及び連結凹部３ｅの、回転軸ＲＡ方向において互いに対向する面に、不図示の軸部品が挿入されている。
【００２８】
図２は、第２筐体５の分解斜視図である。
【００２９】
第２筐体５においては、図２の紙面上方側から順に、キープレート２１、フロントケース２３、キーアセンブリ２５、シールドアセンブリ２７、メイン基板２９及びバッテリー３１、リアケース３３、並びに、バッテリーリッド３５が積層されている。なお、メイン基板２９とバッテリー３１とは、積層方向において並列に配置されている。すなわち、メイン基板２９とバッテリー３１とは積層されていない。
【００３０】
第２筐体５は、キープレート２１、フロントケース２３、リアケース３３及びバッテリーリッド３５により構成されている。キープレート２１、リアケース３３、バッテリーリッド３５は、例えば、絶縁性の樹脂により構成されている。フロントケース２３の材質等については、後述する。第２筐体５の対向面部５ａは、キープレート２１及びフロントケース２３により構成されている。第２筐体５の、対向面部５ａを囲む外周面部５ｃ（図１）は、フロントケース２３及びリアケース３３により構成されている。第２筐体５の、対向面部５ａの反対側の背面部５ｂ（図１）は、リアケース３３及びバッテリーリッド３５により構成されている。連結部７を構成する連結突部５ｅは、フロントケース２３に形成されている。
【００３１】
フロントケース２３及びリアケース３３は、概ね同等の広さを有する矩形状に形成されている。フロントケース２３とリアケース３３とは、例えば、一方（例えばリアケース３３）に挿通された不図示のネジが他方（例えばフロントケース２３）に形成されたネジボス２３ａに螺合することにより、互いに固定される。キーアセンブリ２５、シールドアセンブリ２７、及び、メイン基板２９は、フロントケース２３とリアケース３３とが互いに固定されることにより、フロントケース２３とリアケース３３とにより挟持され、第２筐体５内部に固定される。リアケース３３には、バッテリー３１を挿入するための開口３３ａが形成されている。バッテリー３１は、開口３３ａから第２筐体５内部へ挿入され、バッテリーリッド３５が開口３３ａを塞ぐようにリアケース３３に係合されることにより、第２筐体５内に装着される。リアケース３３の開口３３ａよりも連結部７とは反対側（図２の左側）の端部には、アンテナ８９（図１１参照）を配置するための凹部３３ｂが形成されている。
【００３２】
メイン基板２９は、例えば、硬質の樹脂をベースとしたプリント配線基板により構成されている。メイン基板２９は、例えば、概ね、第２筐体５の半分程度の広さを有する矩形に形成されている。メイン基板２９には種々の電子部品が配置されており、電子回路が構成されている。例えば、メイン基板２９のフロントケース２３側の第１実装面２９ａには、各種のＩＣ３７、通話用のマイクロフォン３９が設けられている。メイン基板２９のリアケース３３側の第２実装面２９ｂには、報知用のスピーカ９９（図１１参照）、カメラモジュール９５（図１１参照）が設けられている。メイン基板２９のバッテリー３１側の端部には、バッテリー３１に接続される受電端子部４１が設けられている。メイン基板２９の第１実装面２９ａ及び第２実装面２９ｂには、メイン基板２９（電子回路）のグランドラインを構成するグランドパターン層２９ｃ（一部のみ示す。）が所定のパターンで配置されている。
【００３３】
バッテリー３１は、例えば、概ね、第２筐体５の半分程度の広さを有する薄型直方体状に形成されている。バッテリー３１は、樹脂等により形成されたケース３１ｂを有している。ケース３１ｂ内には、特に図示しないが、例えば、正極と負極とをセパレータを挟んで積層したバッテリーセル、バッテリーセルの正極及び負極に接続され、給電端子や保護回路等を備えた回路基板が設けられている。
【００３４】
シールドアセンブリ２７は、メイン基板２９等に被せられるシールドケース４３と、シールドケース４３のフロントケース２３側に配置されるＦＰＣ（フレキシブルプリント配線板。回路基板の一例である。）４５とを有している。
【００３５】
シールドケース４３は、例えば、金属により形成され、又は、樹脂の表面に金属層が設けられて形成されている。従って、シールドケース４３は、導電性を有している。シールドケース４３は、概ね第２筐体５と同等の面積を有する矩形状に形成されている。シールドケース４３は、メイン基板２９側を凹とする箱状に形成されている。なお、特に図示しないが、シールドケース４３のメイン基板２９側の面には、ＩＣ３７等のメイン基板２９の第１実装面２９ａ上の複数の電子部品を区画するように囲むリブが設けられている。当該リブは、第１実装面２９ａ上に設けられたグランドパターン層２９ｃに当接する。これにより、シールドケース４３は、メイン基板２９のグランドラインに電気的に接続される。なお、マイクロフォン３９は、メイン基板２９のうち、シールドケース４３が被せられない領域に配置されている。
【００３６】
ＦＰＣ４５は、例えば、シールドケース４３と概ね同等の広さを有する矩形状に形成されている。ＦＰＣ４５は、例えば、半田、両面テープ、接着剤等の適宜な固定手段によりシールドケース４３に対して固定されている。ＦＰＣ４５は、シールドケース４３に載置される部分から延在する延在部４５ａを有しており、当該延在部４５ａに設けられた不図示のコネクタがメイン基板２９に設けられた不図示のコネクタに接続されることにより、ＦＰＣ４５とメイン基板２９とは電気的に接続される。コネクタには、ＦＰＣ４５のグランドラインと、メイン基板２９のグランドラインとを接続する端子が含まれている。
【００３７】
ＦＰＣ４５のフロントケース２３側の実装面には、例えば、複数のスイッチ４７、複数の発光素子としてのＬＥＤ４９が設けられている。
【００３８】
複数のスイッチ４７は、複数のキートップ１７に対応して設けられている。すなわち、複数のスイッチ４７は、複数のキートップ１７と重なる位置に、複数のキートップ１７により押下可能に設けられている。複数のスイッチ４７は、基本的に、１つのキートップ１７に対して１つのスイッチ４７が対応している。ただし、カーソルキー１７Ｂに対しては、４つのスイッチ４７が対応している。
【００３９】
複数のスイッチ４７は、例えばドームスイッチにより構成されており、特に図示しないが、ドーム状の可動接点と、可動接点に対向する固定接点とを有している。スイッチ４７は、押下されると、可動接点が固定接点に接触してオン状態となり、押下が解除されると、可動接点の復元力によりオフ状態に復帰する。スイッチ４７のオン、オフにより生成される信号は、ＦＰＣ４５を介してメイン基板２９に出力される。
【００４０】
複数のＬＥＤ４９は、複数のキートップ１７を照明するためのものであり、例えば、複数のスイッチ４７間に配置されている。複数のＬＥＤ４９は、ＦＰＣ４３及びメイン基板２９を介してバッテリー３１から供給される電力により駆動される。複数のＬＥＤ４９の動作（点灯、消灯）は、例えば、メイン基板２９に設けられた制御部により携帯電話機１の開閉状態等に応じて制御される。
【００４１】
図３は、フロントケース２３の斜視図である。
【００４２】
フロントケース２３は、第１材料としての樹脂により形成された、第１筐体部材としての樹脂部５５と、第２材料としての金属により形成され、樹脂部５５に一部が埋設された、第２筐体部材としての板金部５７とを有している。
【００４３】
板金部５７を構成する金属は、樹脂部５５を構成する樹脂よりも弾性係数が高い。樹脂部５５を構成する樹脂は、遮光性を有するものの、若干、光を透過するのに対し、板金部５７を構成する金属は、光を完全に遮断する。すなわち、板金部５７を構成する材料は樹脂部５５を構成する材料よりも遮光性が高い。樹脂部５５を構成する樹脂は絶縁性を有しているのに対し、板金部５７を構成する金属は、導電性を有している。
【００４４】
図４は、樹脂部５５の斜視図である。なお、樹脂部５５には、板金部５７が埋設されるから、実際には、樹脂部５５のみが板金部５７抜きで形成されることはない。図４は、フロントケース２３における、樹脂部５５により構成される部分と板金部５７により構成される部分とを分かりやすく示すための便宜的な図である。
【００４５】
樹脂部５５は、図３及び図４に示すように、第２筐体５の対向面部５ａを構成する対向面構成部５５ａと、第２筐体５の外周面部５ｃを構成する外周面構成部５５ｂとを有している。対向面構成部５５ａには、複数のキートップ１７を第２筐体５外部へ露出させるためのキー用開口５６が形成されている。キー用開口５６は、例えば、複数のダイヤルキー１７Ａ、カーソルキー１７Ｂ、決定キー１７Ｃ及び複数のファンクションキー１７Ｄの全てに対して、一つだけ形成されている。
【００４６】
図５は、板金部５７の斜視図である。なお、図５は、図３や図４と略同一の方向から見た斜視図である。
【００４７】
板金部５７は、図３及び図５に示すように、第２筐体５の対向面部５ａを構成する基部５７ａと、基部５７ａの縁部から基部５７ａに交差する方向に延びる連結部側折り返し部５７ｂ及び側面側折り返し部５７ｃとを有している。
【００４８】
基部５７ａには、複数のキートップ１７を露出させるための複数のキー用開口５８Ａ、５８ＢＣ、５８Ｄ（以下、単に「キー用開口５８」といい、これらを区別しないことがある。）が形成されている。キー用開口５８Ａは、例えば、複数のダイヤルキー１７Ａに対応して一つ設けられており、キー用開口５８ＢＣは、カーソルキー１７Ｂ及び決定キー１７Ｃに対応して一つ設けられており、キー用開口５８Ｄは、２つのファンクションキー１７Ｄに対応して一つ、合計２つ設けられている。
【００４９】
図５に示すように、連結部側折り返し部５７ｂは、基部５７ａの連結部７側（図５の右上側）の縁部から、キートップ１７が露出する側（図５の上方側）へ延びている。連結部側折り返し部５７ｂの、基部５７ａの縁部に沿う長さは、連結部７の連結突部５ｅの回転軸ＲＡ方向の長さよりも短く設定されている。なお、連結部側折り返し部５７ｂの基部５７ａに対する角度は適宜に設定されてよい。
【００５０】
図５に示すように、側面側折り返し部５７ｃは、基部５７ａの側面側（図５の左上側又は左下側）の縁部から、携帯電話機１の背面側（図５の下方側）へ延びている。側面側折り返し部５７ｃは、基部５７ａの側面側の縁部に亘って形成されている。なお、側面側折り返し部５７ｃの基部５７ａに対する角度は適宜に設定されてよい。
【００５１】
図３〜図５に示すように、板金部５７は、外周部が全周に亘って樹脂部５５に埋設されている。具体的には、基部５７ａの外周部は、対向面構成部５５ａに埋設されている。連結部側折り返し部５７ｂは、連結部７を構成する連結突部５ｅに埋設されている。側面側折り返し部５７ｃは、外周面構成部５５ｂに埋設されている。
【００５２】
板金部５７の基部５７ａは、樹脂部５５の対向面構成部５５ａと同等の広さを有している。板金部５７の基部５７ａの中央側は、樹脂部５５のキー用開口５６から樹脂部５５外部へ露出している。複数のキー用開口５８は、キー用開口５６と重なる位置に設けられている。板金部５７のキー用開口５８は、樹脂部５５のキー用開口５６よりも径が小さく、板金部５７のキー用開口５８それぞれの外周部はキー用開口５６から露出している。
【００５３】
図１及び図３に示すように、樹脂部５５のキー用開口５６と、板金部５７のキー用開口５８Ａとは、複数のダイヤルキー１７Ａを共に露出させる一の開口５９を構成している。なお、キープレート２１の開口も開口５９を構成している。また、ファンクションキー１７Ｄも２つずつ共に一の開口から露出し、カーソルキー１７Ｂ及び決定キー１７Ｃも共に一の開口から露出している。
【００５４】
以上のようなフロントケース２３は、例えば、いわゆるインサート成形により構成される。具体的には、まず、板金部５７が形成される。板金部５７は、例えば、一枚の板金に対して、打ち抜き加工、曲げ加工、絞り加工等のプレス加工を行うことにより形成される。次に、板金部５７は、射出成形機の一対の金型のキャビティ内に配置されるとともに、一対の金型に挟持される。そして、樹脂部５５となるべき溶融した樹脂がキャビティ内に射出、充填されることにより、フロントケース２３は形成される。
【００５５】
インサート成形においては、板金部５７を一対の金型により挟持することから、板金部５７には、樹脂部５５に埋設されずに、樹脂部５５から露出する部分が必ず生じる。一方、仮に、樹脂部５５のみによりフロントケース２３が構成されたとしても、一対の金型は、キー用開口５６を形成するために、互いに当接する部分を有する。すなわち、一対の金型の一方又は双方には、型開閉方向に突出し、他方の金型に当接する、断面形状がキー用開口５６と同一の柱部が形成されている。フロントケース２３では、板金部５７のうち、樹脂部５５のキー用開口５６から露出する部分を、一対の金型により挟持する部分としていることから、樹脂部５５のキー用開口５６を形成するための柱部が板金部５７を挟持する部分を兼ねることになり、インサート成形が好適に行われることになる。
【００５６】
図６は、キーアセンブリ２５を筐体外側から見た斜視図であり、図７は、キーアセンブリ２５を筐体内側から見た斜視図であり、図８は、図１のＶＩＩＩ−ＶＩＩＩ線における断面図である。
【００５７】
図６及び図７に示すように、キーアセンブリ２５は、複数のスイッチ４７及び複数のＬＥＤ４９に被せられるキーシート５１と、キーシート５１に固着される複数のキートップ１７とを有している。
【００５８】
キーシート５１は、例えば、シリコンゴム等の弾性材料により形成されている。キーシート５１は、透光性を有しており、ＬＥＤ４９の光を透過可能である。なお、図６及び図７では、キーシート５１が一枚のシートにより構成されている場合を例示しているが、キーシート５１は、２枚以上のシートが積層されて構成されていてもよい。キーシート５１は、例えば、複数のスイッチ４７の配置領域を覆うことが可能な広さを有する矩形状に形成されている。
【００５９】
キーシート５１は、図６及び図８に示すように、縁部５１ａと、縁部５１ａよりも筐体外部側（図６及び図８の上方側）へ一段高くなった平面部５１ｂと、平面部５１ｂよりも筐体外部側へ一段高くなった、キートップ１７が固着される複数の台座部５１ｃ（図８）とを有している。
【００６０】
平面部５１ｂは、図７に示すように、キーシート５１の筐体内側の面においては、縁部５１ａよりも一段低い凹部となっている。平面部５１ｂの、筐体外側への突出形状と、筐体内側における凹形状とは、基本的に同一である。
【００６１】
台座部５１ｃ（図８）は、複数のキートップ１７に対応して設けられている。すなわち、基本的には、一つのキートップ１７に対して、一つの台座部５１ｃが設けられている。ただし、特に図示しないが、カーソルキー１７Ｂに対しては、４つの台座部５１ｃが設けられるなどしている。
【００６２】
台座部５１ｃは、図７に示すように、キーシート５１の筐体内側の面においては、平面部５１ｂよりも一段低い凹部となっている。台座部５１ｃの、筐体外側への突出形状と、筐体内側における凹形状とは、基本的に同一である。ただし、カーソルキー１７Ｂや決定キー１７Ｃに対応する台座部５１ｃにおいては、筐体外側への突出形状と、筐体内側における凹形状とは異なっている。
【００６３】
図７及び図８に示すように、縁部５１ａのうち、外周側には、筐体内側へ肉厚となる、縁部肉厚部５１ｄが形成されている。縁部肉厚部５１ｄは、キーシート５１がＦＰＣ４５に載置されたときに、ＦＰＣ４５に当接する。
【００６４】
台座部５１ｃの筐体内側には、複数のスイッチ４７を押下するための押し子５１ｅが形成されている。押し子５１ｅは、台座部５１ｃの中央部が肉厚に形成されることにより設けられ、筐体内側へ突出している。
【００６５】
平面部５１ｂの筐体内側には、複数の台座部５１ｃの間において、筐体内側へ突出するリブ５１ｆが形成されている。リブ５１ｆは、平面部５１ｂが局部的に肉厚に形成されることにより設けられている。リブ５１ｆは、例えば、長尺状の台座部５１ｃ（キートップ１７）に沿うように形成されている。別の観点では、概ね矩形状の台座部５１ｃ（キートップ１７）の縁部に沿うように形成されている。リブ５１ｆは、ダイヤルキー１７Ａの配置領域においては、台座部５１ｃと交互に配列されている。リブ５１ｆは、キーシート５１がＦＰＣ４５に載置されたときに、ＦＰＣ４５に当接する。
【００６６】
キートップ１７は、例えば、透光性を有する樹脂により形成されている。キートップ１７は、接着剤等の適宜な固定部材により、キーシート５１の台座部５１ｃに固定されている。
【００６７】
キートップ１７は、図８に示すように、フロントケース２３の樹脂部５５のキー用開口５６及び板金部５７のキー用開口５８を介して第２筐体外部へ露出している。
【００６８】
なお、図８に示すように、キープレート２１は、板金部５７の、樹脂部５５のキー用開口５８から露出した部分に積層され、両面テープや接着剤等の適宜な固定部材により板金部５７に対して固定されている。
【００６９】
板金部５７は、ＦＰＣ４５（メイン基板２９）のグランドラインに電気的に接続されている。例えば、図８に示すように、板金部５７の側面側折り返し部５７ｃには、樹脂部５５の外周面構成部５５ｂから筐体内側に露出する部分があり（図９（ａ）も参照）、当該露出部分がシールドケース４３の外周に当接することにより、板金部５７は、シールドケース４３を介して、ＦＰＣ４５のグランドラインに電気的に接続される。
【００７０】
以上の構成を有する携帯電話機１における、キーシート５１の係止方法について、説明する。
【００７１】
図３に示すように、フロントケース２３の板金部５７には、複数の第１孔部６１が形成されている。複数の第１孔部６１の形状、大きさ、位置、数は、適宜に設定されてよい。図３では、板金部５７の、樹脂部５５のキー用開口５６において樹脂部５５から露出する部分に、複数の第１孔部６１が形成されている場合を例示している。より具体的には、複数の第１孔部６１が、樹脂部５５のキー用開口５６の縁部に沿って複数配置されている場合を例示している。なお、複数の第１孔部６１は、板金部５７の複数のキー用開口５８の間のフレーム部分に沿って複数配置されていてもよい。また、図３では、複数の第１孔部６１が、矩形に形成されている場合を例示している。なお、第１孔部６１は、板金部５７のうち、対向面部５ａを構成する基部５７ａに形成されているから、第１孔部６１は対向面部５ａに形成されていると捉えることができる。また、第１孔部６１は、対向面部５ａの筐体内側の面に形成された穴部（孔部及び凹部を含む）であると捉えることができる。
【００７２】
一方、図６に示すように、キーシート５１の板金部５７（対向面部５ａ）に対向する面には、板金部５７側に突出する複数の第１突部６２が形成されている。複数の第１突部６２は、複数の第１孔部６１に対応する位置に設けられている。第１突部６２は、第１孔部６１に挿入可能な大きさ、形状を有している。複数の第１突部６２は、例えば、縁部５１ａや平面部５１ｂが局所的に肉厚に形成されることにより構成されている。
【００７３】
図７に示すように、キーシート５１のＦＰＣ４５側（筐体内部側）の面には、ＦＰＣ４５側に突出する複数の第２突部６４が形成されている。複数の第２突部６４の形状、大きさ、位置、数は、適宜に設定されてよい。図７では、リブ５１ｆの両端に、円形の第２突部６４が設けられている場合を例示している。
【００７４】
一方、図２に示すように、ＦＰＣ４５のキーシート５１には、複数の第２突部６４に対応する位置に、第２突部６４が挿入される複数の第２孔部６３が形成されている。なお、第２孔部６３は、ＦＰＣ４５の対向面部５ａ側の面に形成された穴部（孔部及び凹部を含む）であると捉えることができる。
【００７５】
図９（ａ）は、図８の領域ＩＸａを拡大して示す斜視図であり、図９（ｂ）は、図９（ａ）の領域ＩＸｂの拡大図である。ただし、図９（ｂ）では、キーシート５１のみを示している。
【００７６】
図９（ｂ）に示すように、第１突部６２は、軸部６２ａと、軸部６２ａの先端に形成された係合部６２ｂとを有している。軸部６２ａは、例えば、第１孔部６１の形状及び大きさと同等の形状及び大きさを有している。係合部６２ｂは、例えば、第１突部６２の先端が拡径されることにより形成されている。
【００７７】
また、第２突部６４は、軸部６４ａと、軸部６４ａの先端に形成された係合部６４ｂとを有している。軸部６４ａは、例えば、第２孔部６３の形状及び大きさと同等の形状及び大きさを有している。係合部６４ｂは、例えば、第２突部６４の先端が拡径されることにより形成されている。
【００７８】
図１０（ａ）は、第１突部６２周辺を示す断面図である。なお、図１０（ａ）は、図８の一部の拡大図である。
【００７９】
図８、図９及び図１０（ａ）に示すように、第１突部６２は、第１孔部６１に挿入される。この際、第１突部６２の係合部６２ｂは、弾性変形しつつ第１孔部６１を通過し、第１孔部６１を通過した後は、復元力により元の形状に戻り、板金部５７の筐体外側（図１０（ａ）の上方側）の面に係合する。
【００８０】
図１０（ａ）に示すように、第１孔部６１及び第１突部６２は、キープレート２１により被覆される。第１突部６２の係合部６２ｂは、キープレート２１の板金部５７側の面に形成された凹部２１ａに収容されている。係合部６２ｂは、キープレート２１と板金部５７とに適宜な圧力で挟持されている。なお、第１突部６２の軸部６２ａは、第１孔部６１に嵌合してもよいし、嵌合していなくてもよい。また、軸部６２ａは、第１孔部６１に圧入されていてもよい。
【００８１】
図１０（ｂ）は、第２突部６４周辺を示す断面図である。なお、図１０（ｂ）は、図８と同一方向の断面図である。
【００８２】
図８、図９及び図１０（ｂ）に示すように、第２突部６４は、第２孔部６３に挿入される。この際、第２突部６４の係合部６４ｂは、弾性変形しつつ第２孔部６３を通過し、第２孔部６３を通過した後は、復元力により元の形状に戻り、ＦＰＣ４５の筐体内側（図１０（ｂ）の下方側、シールドケース４３側）の面に係合する。
【００８３】
図１０（ｂ）に示すように、第２突部６４の係合部６４ｂは、シールドケース４３のＦＰＣ４５側の面に形成された凹部４３ａに収容されている。係合部６４ｂは、ＦＰＣ４５とシールドケース４３とに適宜な圧力で挟持されている。なお、第２突部６４の軸部６４ａは、第２孔部６３に嵌合してもよいし、嵌合していなくてもよい。また、軸部６４ａは、第２孔部６３に圧入されていてもよい。
【００８４】
図１１は、携帯電話機１の信号処理系の構成を示すブロック図である。
【００８５】
携帯電話機１は、ＣＰＵ８５、メモリ８６、通信処理部８７、音響処理部９１及び画像処理部９３を備えている。これら各部は例えばメイン基板２９に設けられたＩＣ３７により構成されている。
【００８６】
ＣＰＵ８５及びメモリ８６は、操作部１５等の各種手段からの信号に基づいて所定の演算を行い、画像処理部９３等の各種手段の制御を実行する制御部として機能する。
【００８７】
通信処理部８７は、高周波回路を含んで構成されている。通信処理部８７は、電波を利用した遠距離無線通信を行うために、ＣＰＵ８５で処理された音響データ、画像データ等の各種データを変調して、アンテナ８９を介して送信する。また、通信処理部８７は、アンテナ８９を介して受信した信号を復調してＣＰＵ８５に出力する。
【００８８】
音響処理部９１は、ＣＰＵ８５からの音響データを電気信号に変換して通話用のスピーカ９７、着信等を報知するためのスピーカ９９に出力する。スピーカ９７及びスピーカ９９は、音響処理部９１からの電気信号を音響に変換して出力する。一方、マイクロフォン３９は、入力された音響を電気信号に変換して音響処理部９１に出力する。音響処理部９１は、マイクロフォン３９からの電気信号を音響データに変換してＣＰＵ８５に出力する。
【００８９】
画像処理部９３は、ＣＰＵ８５からの画像データを画像信号に変換して表示部１１へ出力する。また、所定のカメラモジュール９５から出力される撮像信号（画像データ）を所定のフォーマットの画像データに変換してＣＰＵ８５へ出力する。
【００９０】
以上の実施形態によれば、携帯電話機１は、所定面部としての対向面部５ａを有する第２筐体５と、第２筐体５内において、対向面部５ａに対向配置される回路基板としてのＦＰＣ４５と、ＦＰＣ４５の対向面部５ａ側の面に設けられた複数のスイッチ４７と、複数のスイッチ４７に被せられたキーシート５１と、キーシート５１の対向面部５ａ側の面に設けられ、対向面部５ａに形成された一の開口５９から共に露出する複数のキートップとしての複数のダイヤルキー１７Ａとを有し、対向面部５ａのキーシート５１に対向する面には、開口５９の外周部に、筐体側穴部としての第１孔部６１が形成され、キーシート５１の対向面部５ａに対向する面には、第１孔部６１に挿入される筐体側突部としての第１突部６２が形成されていることから、複数のダイヤルキー１７Ａを隣接して配置し、複数のダイヤルキー１７Ａの配置領域を縮小化できる。しかも、従来使用されていたフレームを省略して部材点数を削減しつつ、キーシート５１（キートップ１７）の脱落を防止することができる。
【００９１】
第２筐体５は、対向面部５ａを構成する第１筐体部材としての樹脂部５５と、対向面部５ａを構成し、樹脂部５５に埋設された第２筐体部材としての板金部５７とを有し、樹脂部５５には、開口５９を構成する、第１キー用開口としてのキー用開口５６が形成され、板金部５７には、開口５９を構成する、第２キー用開口としてのキー用開口５８Ａが形成され、板金部５７は、第１キー用開口５８において樹脂部５５から露出し、第１突部６２が挿入される穴部が、板金部５７の、キー用開口５６において樹脂部５５から露出する部分に形成された孔部（第１孔部６１）により構成されていることから、穴部の形成が容易である。
【００９２】
そして、板金部５７の、キー用開口５６において樹脂部５５から露出する部分に固定される被覆部材としてのキープレート２１により、第１突部６２や第１孔部６１を隠すことができる。
【００９３】
第１突部６２は、先端側に、樹脂部５５の筐体外部側の面に係合する筐体側係合部としての係合部６２ｂを有することから、第１突部６２の第１孔部６１からの抜けを防止することができ、一層、キーシート５１の脱落を防止できる。
【００９４】
携帯電話機１は、ダイヤルキー１７Ａ以外に、キーシート５１に設けられたカーソルキー１７Ｂ、決定キー１７Ｃ、ファンクションキー１７Ｄ等の他のキートップを有し、板金部５７には、キー用開口５６と重なる位置に、第３キー用開口としての、キー用開口５８ＢＣ、５８Ｄが形成され、他のキートップは、キー用開口５６及び第３キー用開口から筐体外部へ露出し、板金部５７のキー用開口５８Ａと、キー用開口５８ＢＣ、５８Ｄとの間の部分は、キーシート５１を係止することから、板金部５７は、第１孔部６１の形成や被覆を容易にするだけでなく、複数種類のキートップが配置される比較的広いキーシート５１を直接的に係止することにも寄与し、有効に利用される。
【００９５】
樹脂部５５は、第１の材料としての樹脂により構成され、板金部５７は、樹脂よりも弾性係数が高い第２の材料としての板金により構成されていることから、板金部５７は、第１孔部６１の形成や被覆を容易にするだけでなく、第２筐体５の強度を補強することにも寄与し、有効利用される。
【００９６】
樹脂部５５は、絶縁性を有し、板金部５７は、導電性を有し、板金部５７は、ＦＰＣ４５のグランドに接続されていることから、基本的には樹脂部５５により筐体外部から筐体内部への静電気の侵入を防止しつつ、キートップ１７を露出させるための開口から侵入した静電気をグランドに流すことができ、静電気によるノイズや故障を防止できる。
【００９７】
ＦＰＣ４５には、キーシート５１側の面に基板側穴部としての第２孔部６３が形成され、キーシート５１には、ＦＰＣ４５側の面に第２孔部６３に挿入される基板側突部としての第２突部６４が形成されていることから、キーシート５１が一層堅固に係止される。すなわち、キーシート５１は、基本的には対向面部５ａとＦＰＣ４５とに挟持されているから、第１突部６２及び第１孔部６１のみでも十分にキーシート５１を係止できるが、何らかの要因により、キーシート５１が対向面部５ａ又はＦＰＣ４５から離れたとしても、第１突部６２と、第２突部６４とは、その挿入方向が逆方向であることから、双方の係合が外れることはない。
【００９８】
キーシート５１は、複数のキートップ１７が固定される部分（台座部５１ｃ）の間において、ＦＰＣ４５側に突出するリブ５１ｆを有し、第２突部６４は、リブ５１ｆに設けられていることから、キートップ１７のストロークを確保するために、キーシート５１をＦＰＣ４５から浮かせるように支持するリブ５１ｆが、キーシート５１の係止にも利用されることになる。その結果、第２突部６４を独立して設けなくてもよく、構造が簡素になる。
【００９９】
基板側穴部（第２孔部６３）は、ＦＰＣ４５に形成された基板側孔部としての第２孔部６３により形成され、第２突部６４は、先端側に、ＦＰＣ４５の、キーシート５１とは反対側の面に係合する係合部６４ｂを有することから、第２突部６４の第２孔部６３からの抜けが防止され、キーシート５１は、一層堅固に係止される。
【０１００】
携帯電話機１は、ＦＰＣ４５のキーシート５１とは反対側に積層されたシールドケース４３を有し、係合部６４ｂは、ＦＰＣ４５とシールドケース４３とに挟持されていることから、第２突部６４の第２孔部６３からの抜けが一層堅固に防止される。
【０１０１】
シールドケース４３には、係合部６４ｂが収納される凹部４３ａが形成されていることから、シールドケース４３とＦＰＣ４５とを密に積層しつつ、係合部６４ｂをシールドケース４３に対しても係合させることができ、キーシート５１が一層堅固に係止される。
【０１０２】
本発明は、以上の実施形態に限定されず、種々の態様で実施してよい。
【０１０３】
本発明の電子機器は、携帯電話機に限定されない。例えば、デジタルカメラ、ＰＤＡ、ノートパソコン、携帯型ゲーム機であってもよい。また、電子機器全体の筐体は、開閉可能に２以上の筐体が連結されたものに限定されない。例えば、筐体を一つのみ有するものであってもよい。
【０１０４】
複数のスイッチが設けられる回路基板は、ＦＰＣに限定されない。例えば、回路基板は、メイン基板２９のように、硬質の樹脂をベースとしたプリント配線基板により構成されてもよい。この場合、基板側突部（第２突部６４）と基板側穴部（第２孔部６３）との係合によるキーシートの係止が堅固なものとなる。
【０１０５】
キーシートの筐体側突部（第１突部６２）が挿入される筐体の筐体側穴部（第１孔部６１）は、孔部により形成されるものに限定されない。凹部であってもよい。同様に、キーシートの基板側突部（第２突部６４）が挿入される基板の基板側穴部（第２孔部６３）は、孔部により形成されるものに限定されない。凹部であってもよい。
【０１０６】
また、キーシートの筐体側突部や基板側突部の先端に形成される係止部は設けられなくてもよい。突部が穴部に挿入されるだけでも、キーシートの面に沿う方向の移動が規制され、ひいては、キーシートの脱落が防止される。また、例えば、一般に、キーシートは弾性部材により形成されているから、筐体側突部や基板側突部を筐体側穴部や基板側穴部に圧入することにより、キーシートを堅固に係止することもできる。
【０１０７】
筐体側穴部を第２筐体部材に形成された孔部（第１孔部６１）により構成する場合、その孔部や当該孔部に挿入される筐体側突部を隠す部材は、第２筐体部材に固定される被覆部材（キープレート２１）に限定されない。
【０１０８】
図１２は、筐体側穴部を構成する孔部等を隠す、別の構成を示す断面図である。
【０１０９】
この例では、キープレート２１は、省略されている。そして、キートップ１７′により、第１孔部６１や第１突部６２（板金部５７のキー用開口５６において露出する部分）が被覆されている。この例では、キープレート２１を省略できるというメリットがある。
【０１１０】
また、板金部５７は、樹脂部５５よりも弾性係数が高く、比較的薄く形成されていることから、板金部５７の露出部分をキートップ１７′により被覆しつつ、キートップ１７′のストロークを確保したとしても、キートップ１７′は、筐体表面（樹脂部５５の表面）から大きく突出することはなく、筐体の薄型化が図られる。
【図面の簡単な説明】
【０１１１】
【図１】本発明の実施形態の携帯電話機の外観を示す斜視図である。
【図２】図１の携帯電話機の分解斜視図である。
【図３】図１の携帯電話機のフロントケースの斜視図である。
【図４】図３のフロントケースの樹脂部を示す斜視図である。
【図５】図３のフロントケースの板金部を示す斜視図である。
【図６】図１の携帯電話機のキーアセンブリの斜視図である。
【図７】図５のキーアセンブリを図５の背面側から見た斜視図である。
【図８】図１のＶＩＩＩ−ＶＩＩＩ線における断面図である。
【図９】図８の領域ＩＸを拡大して示す斜視図及びその斜視図の一部を更に拡大して示す斜視図である。
【図１０】図１の携帯電話機１のキーシートの係止方法を説明する図である。
【図１１】図１の携帯電話機の信号処理系の構成を示すブロック図である。
【図１２】キーシートの係止部の被覆方法の変形例を示す図である。
【符号の説明】
【０１１２】
１…携帯電話機（電子機器）、５…第２筐体（筐体）、５ａ…対向面部（所定面部）、４５…ＦＰＣ（回路基板）、４７…スイッチ、５１…キーシート、５９…開口、１７…キートップ、１７Ａ…ダイヤルキー（キートップ）、６１…第１孔部（筐体側穴部）、６２…第１突部（筐体側突部）。
【図１】
2008243742.tif 000003
【図２】
2008243742.tif 000004
【図３】
2008243742.tif 000005
【図４】
2008243742.tif 000006
【図５】
2008243742.tif 000007
【図６】
2008243742.tif 000008
【図７】
2008243742.tif 000009
【図８】
2008243742.tif 000010
【図９】
2008243742.tif 000011
【図１０】
2008243742.tif 000012
【図１１】
2008243742.tif 000013
【図１２】
2008243742.tif 000014